(57)【要約】【課題】電線束の本線部における分岐部を含む領域が可撓性を有する保護チューブで覆われる場合に、電線束の曲げやすさを阻害せずに支線部の損傷を防止でき、電線束の太さの違いへの適応性に優れたワイヤハーネスを提供すること。【解決手段】バンド式保護具３は、支線部９２に巻き付いたバンド部３１及びバンド部３１の一端に連なるバンド保持部３２を有する。バンド保持部３２は、バンド部３１を支線部９２の太さに応じた長さで環状に保持する。バンド式保護具３の表面には、電線束９０の本線部９１を覆う保護チューブ２における切れ目２１を臨む一対の縁部２２各々の内側面及び外側面に対向する一対の段差部３３が形成されている。【選択図】図１
2014193058.tif 000002
【特許請求の範囲】
【請求項１】
複数の電線を含む本線部と該本線部から分岐した電線を含む支線部とを有する電線束と、
前記本線部における前記支線部の分岐部を含む領域の周囲を覆い前記本線部の長手方向に沿う切れ目が形成された可撓性を有する保護チューブと、
前記支線部に巻き付いたバンド部及び該バンド部の一端に連なり前記バンド部を前記支線部の太さに応じた長さで前記支線部に巻き付いた環状に保持するバンド保持部を有し、表面に前記保護チューブにおける前記切れ目を臨む一対の縁部各々の内側面及び外側面に対向する一対の段差部が形成されたバンド式保護具と、を備えるワイヤハーネス。
【請求項２】
請求項１に記載のワイヤハーネスであって、
前記バンド式保護具の前記バンド保持部は、
前記バンド部の一端に連なり該一端の延長方向に平行に貫通するバンド通し孔の縁部をなす枠部と、
前記枠部の前記バンド通し孔に通された前記バンド部の一部と係り合うことにより前記バンド部を環状に保持する係合部と、を有し、
前記バンド部は前記枠部における前記バンド部の一端に繋がる側からその反対側へ前記バンド通し孔に通されている、ワイヤハーネス。
【請求項３】
請求項２に記載のワイヤハーネスであって、
前記一対の段差部は前記バンド部の表面及び前記枠部の表面に形成されている、ワイヤハーネス。
【請求項４】
請求項１から請求項３のいずれかに記載のワイヤハーネスであって、
前記一対の段差部は、前記バンド式保護具の表面に形成された一連の溝である、ワイヤハーネス。
【請求項５】
請求項１から請求項３のいずれかに記載のワイヤハーネスであって、
前記一対の段差部は、前記バンド部の表面に２列に並んで形成された複数の突起部を含む、ワイヤハーネス。
【発明の詳細な説明】
【技術分野】
【０００１】
本発明は、分岐構造を有する電線束の本線部を覆う保護チューブを備えるワイヤハーネスに関する。
【背景技術】
【０００２】
自動車などの車両に搭載されるワイヤハーネスにおいて、分岐構造を有する電線束は、複数の電線を含む本線部とその本線部から分岐した電線を含む支線部とを有する。
【０００３】
また、特許文献１，２に示されるように、分岐構造を有する電線束を備えるワイヤハーネスが、本線部の周囲を覆うコルゲートチューブを備える場合がある。特許文献１，２に示されるワイヤハーネスにおいて、コルゲートチューブは、本線部における支線部の分岐部を含む領域の周囲を覆う。コルゲートチューブは、可撓性を有する保護チューブの一例であり、本線部の長手方向に沿う切れ目が形成されている。
【０００４】
コルゲートチューブが本線部における分岐部を含む領域の周囲を覆う場合、支線部がコルゲートチューブの切れ目から延び出た状態となる。そのため、コルゲートチューブにおける切れ目を臨む一対の縁部が支線部と擦れることに起因する支線部の損傷を防ぐ必要がある。
【０００５】
特許文献１に示されるワイヤハーネスにおいては、分岐用保護部材が、コルゲートチューブにおける支線部が延び出る部分に取り付けられる。特許文献１に示される分岐用保護部材は、コルゲートチューブの一対の縁部が嵌め入れられる溝が形成されたフランジ部と、支線部を支える分岐ガイド部とを有している。
【０００６】
一方、特許文献２に示されるワイヤハーネスにおいては、分岐構造を有する保護部材が電線束の分岐部を覆い、コルゲートチューブがその保護部材の外側から本線部を覆う。
【先行技術文献】
【特許文献】
【０００７】
【特許文献１】実開平５−２３７２２号公報
【特許文献２】特開２００７−２８８９７２号公報
【発明の概要】
【発明が解決しようとする課題】
【０００８】
特許文献１，２に示されるワイヤハーネスにおいて、電線束の分岐部に取り付けられる保護部材は、本線部及び支線部の曲げやすさを阻害する。電線束が曲げにくいと、ワイヤハーネスの敷設の作業性が悪化する。
【０００９】
さらに、特許文献１，２に示されるワイヤハーネスにおいては、電線束の太さに応じて大きさの異なる保護部材を用意する必要がある。昨今、電線束の太さの違いへの適応性を高め、ワイヤハーネスのコストを低減することが望まれている。
【００１０】
本発明は、電線束の本線部における分岐部を含む領域が可撓性を有する保護チューブで覆われる場合に、電線束の曲げやすさを阻害せずに支線部の損傷を防止でき、電線束の太さの違いへの適応性に優れたワイヤハーネスを提供することを目的とする。
【課題を解決するための手段】
【００１１】
第１態様に係るワイヤハーネスは、以下に示される各構成要素を備える。
（１）第１の構成要素は、複数の電線を含む本線部と該本線部から分岐した電線を含む支線部とを有する電線束である。
（２）第２の構成要素は、上記本線部における上記支線部の分岐部を含む領域の周囲を覆い上記本線部の長手方向に沿う切れ目が形成された可撓性を有する保護チューブである。
（３）第３の構成要素は、上記支線部に巻き付いたバンド部及び該バンド部の一端に連なり上記バンド部を上記支線部の太さに応じた長さで上記支線部に巻き付いた環状に保持するバンド保持部を有するバンド式保護具である。このバンド式保護具の表面には、上記保護チューブにおける上記切れ目を臨む一対の縁部各々の内側面及び外側面に対向する一対の段差部が形成されている。
【００１２】
第２態様に係るワイヤハーネスは、第１態様に係るワイヤハーネスの一態様である。第２態様に係るワイヤハーネスにおいて、上記バンド式保護具の上記バンド保持部は、以下に示される枠部及び係合部を有する。上記枠部は、上記バンド部の一端に連なりその一端の延長方向に平行に貫通するバンド通し孔の縁部をなす部分である。上記係合部は、上記枠部の上記バンド通し孔に通された上記バンド部の一部と係り合うことにより上記バンド部を環状に保持する部分である。そして、上記バンド部は上記枠部における上記バンド部の一端に繋がる側からその反対側へ上記バンド通し孔に通されている。
【００１３】
第３態様に係るワイヤハーネスは、第２態様に係るワイヤハーネスの一態様である。第３態様に係るワイヤハーネスにおいて、上記一対の段差部は上記バンド部の表面及び上記枠部の表面に形成されている。
【００１４】
第４態様に係るワイヤハーネスは、第１態様から第３態様のいずれかに係るワイヤハーネスの一態様である。第４態様に係るワイヤハーネスにおいて、上記一対の段差部は、上記バンド式保護具の表面に形成された一連の溝である。
【００１５】
第５態様に係るワイヤハーネスは、第１態様から第３態様のいずれかに係るワイヤハーネスの一態様である。第５態様に係るワイヤハーネスにおいて、上記一対の段差部は、上記バンド部の表面に２列に並んで形成された複数の突起部を含む。
【発明の効果】
【００１６】
上記の各態様においては、支線部に巻き付けられたバンド部を有するバンド式保護具が、保護チューブにおける切れ目を臨む一対の縁部が支線部と擦れることに起因する支線部の損傷を防ぐ。
【００１７】
また、バンド式保護具の表面には、保護チューブにおける切れ目を臨む一対の縁部各々の内側面及び外側面に対向する一対の段差部が形成されている。一対の段差部は、保護チューブにおける一対の縁部がバンド式保護具から外れることを防ぐ。そのため、バンド部に対する保護チューブの位置ずれを見込んでバンド部の幅を広くする必要がない。従って、比較的幅の狭いバンド部が支線部に巻き付けられるだけであるため、電線束の曲げやすさは阻害されない。なお、切れ目を臨む一対の縁部は、切れ目の両側の縁部のことである。
【００１８】
また、バンド式保護具のバンド保持部は、バンド部を支線部の太さに応じた長さで支線部に巻き付いた環状に保持する。そのため、支線部の太さに応じて大きさの異なるバンド式保護具を用意する必要がない。即ち、上記の各態様におけるバンド式保護具は、電線束の太さの違いへの適応性に優れている。
【００１９】
また、第２態様において、バンド式保護具のバンド部は、バンド保持部の枠部におけるバンド部の一端に繋がる側からその反対側へバンド通し孔に通されている。この場合、バンド式保護具は、支線部の直径に近い厚みの状態で保護チューブの切れ目に挟み込まれる。そのため、保護チューブの切れ目における支線部が延び出た部分において、過大な隙間が生じることを回避できる。
【００２０】
また、第３態様において、保護チューブの位置ずれを防ぐ一対の段差部は、バンド式保護具におけるバンド部及び枠部の各々の表面に形成されている。この場合、一対の段差部が形成された範囲が広くなり、保護チューブの位置ずれをより確実に防ぐことができる。
【００２１】
また、第４態様において、一対の段差部は、バンド式保護具の表面に形成された一連の溝である。この場合、バンド式保護具の構造がシンプルとなる点で好適である。
【００２２】
また、第５態様において、一対の段差部は、バンド部の表面に２列に並んで形成された複数の突起部を含む。この場合、バンド部の柔軟性を損なわずに一対の段差部の高さ、即ち、複数の突起部の高さを高くすることができる。一対の段差部の高さを高くすることにより、保護チューブの位置ずれをより確実に防ぐことができる。
【図面の簡単な説明】
【００２３】
【図１】実施形態に係るワイヤハーネス１の斜視図である。
【図２】ワイヤハーネス１の支線部の正面図である。
【図３】ワイヤハーネス１が備えるバンド式保護具３の斜視図である。
【図４】バンド式保護具３のバンド保持部３２の断面図である。
【図５】バンド式保護具３が取り付けられた電線束の斜視図である。
【図６】ワイヤハーネス１に適用可能な応用例に係るバンド式保護具３Ａの斜視図である。
【発明を実施するための形態】
【００２４】
以下、添付の図面を参照しながら実施形態について説明する。以下の実施形態は、本発明を具体化した一例であり、本発明の技術的範囲を限定する事例ではない。
【００２５】
まず、図１，２を参照しつつ、実施形態に係るワイヤハーネス１の概略構成について説明する。ワイヤハーネス１は、自動車などの車両に搭載される。図１，２に示されるように、ワイヤハーネス１は、電線束９０、保護チューブ２及びバンド式保護具３を備えている。
【００２６】
＜電線束＞
図５に示されるように、電線束９０は分岐構造を有する。即ち、電線束９０は、束ねられた複数の電線９を含む本線部９１と本線部９１から分岐した電線９を含む支線部９２とを有する。電線９は、線状の導体とその周囲を覆う絶縁被覆とを有する絶縁電線である。
【００２７】
なお、図１，５に示される例では、支線部９２は複数の電線９を含む。しかしながら、支線部９２が１本の電線９であることも考えられる。
【００２８】
＜保護チューブ＞
保護チューブ２は、可撓性を有する筒状の部材である。保護チューブ２は、例えば、ポリプロピレン（ＰＰ）、ポリエチレン（ＰＥ）、ポリ塩化ビニル（ＰＶＣ）、ポリエチレンテレフタラート（ＰＥＴ）、又はポリアミド（ＰＡ）などの合成樹脂の部材である。
【００２９】
図１，２に示される保護チューブ２は、長手方向において交互に凹凸をなす筒状に形成されたコルゲートチューブである。コルゲートチューブは、長手方向において交互に凹凸をなす構造を有することにより、高い柔軟性を有している。
【００３０】
保護チューブ２は、電線束９０の本線部９１における支線部９２の分岐部を含む領域の周囲を覆う。また、保護チューブ２には、その全長に亘って本線部９１の長手方向に沿う切れ目２１が形成されている。電線束９０の本線部９１は、切れ目２１から保護チューブ２内に挿入される。
【００３１】
そして、図１に示されるように、電線束９０の支線部９２が、保護チューブ２の切れ目２１から延び出た状態となっている。そのため、保護チューブ２における切れ目２１を臨む一対の縁部２２が支線部９２と擦れることに起因する支線部９２の損傷を防ぐ必要がある。なお、切れ目２１を臨む一対の縁部２２は、保護チューブ２における切れ目２１の両側の縁部のことである。
【００３２】
なお、保護チューブ２が、その両端部において不図示の粘着テープによって電線束９０の本線部９１に対して固定されることも考えられる。
【００３３】
＜バンド式保護具＞
バンド式保護具３は、保護チューブ２における一対の縁部２２が支線部９２と擦れることに起因する支線部９２の損傷を防ぐための保護具である。バンド式保護具３は、例えば、ポリプロピレン（ＰＰ）、ポリエチレン（ＰＥ）、ポリ塩化ビニル（ＰＶＣ）、ポリエチレンテレフタラート（ＰＥＴ）、又はポリアミド（ＰＡ）などの合成樹脂の部材である。
【００３４】
バンド式保護具３は、バンド部３１及びバンド保持部３２を有している。バンド部３１は、柔軟性を有する帯状の部分である。ワイヤハーネス１において、バンド部３１は、支線部９２に巻き付いている。
【００３５】
図３，４に示されるように、バンド保持部３２は、バンド部３１の第一端３１１に連なって形成されている。バンド保持部３２は、バンド部３１を支線部９２の太さに応じた長さで支線部９２に巻き付いた環状に保持する。なお、図３において電線束９０の支線部９２が仮想線（二点鎖線）で描かれている。
【００３６】
図３，４に示されるように、本実施形態におけるバンド保持部３２は、枠部３２１及び係合部３２２を有する。枠部３２１は、バンド部３１の第一端３１１に連なり、その第一端３１１の延長方向に平行に貫通するバンド通し孔３２０の縁部をなす部分である。
【００３７】
係合部３２２は、枠部３２１のバンド通し孔３２０に通されたバンド部３１の一部と係り合うことによりバンド部３１を環状に保持する部分である。図４に示される例では、係合部３２２は、枠部３２１におけるバンド通し孔３２０側の面に形成された突起部である。
【００３８】
突起した係合部３２２は、バンド部３１の一方の面に形成された凹部３１３と係り合うことによってバンド部３１を環状に保持する。複数の凹部３１３が、バンド部３１の長手方向において並んで形成されている。
【００３９】
バンド保持部３２の係合部３２２がバンド部３１における複数の凹部３１３のいずれかと選択的に係り合うことにより、バンド部３１は、支線部９２の太さに応じた長さで支線部９２に巻き付いた環状に保持される。なお、バンド部３１におけるバンド保持部３２からはみ出た余剰部は切除される。
【００４０】
係合部３２２がバンド部３１における複数の凹部３１３のいずれかと選択的に係り合うためには、係合部３２２が凹部３１３の深さ分だけ変位してバンド部３１から一時的に離れる必要がある。
【００４１】
図３に示される例では、枠部３２１における係合部３２２が形成された部分の両側に一対の切れ込み３２３が形成されている。即ち、枠部３２１における係合部３２２が形成された部分が片持ち梁状となっている。これにより、枠部３２１における係合部３２２が形成された部分が弾性変形しやすくなる。その結果、係合部３２２が凹部３１３の深さ分だけ変位してバンド部３１から一時的に離れる状態になりやすくなる。
【００４２】
図４に示されるように、バンド部３１は枠部３２１におけるバンド部３１の第一端３１１に繋がる側からその反対側へバンド通し孔３２０に通されている。そのため、バンド部３１における第一端３１１と第二端３１２とは概ね平行に同じ方向を向いている。
【００４３】
また、図３に示されるように、バンド式保護具３の表面には、保護チューブ２における切れ目２１を臨む一対の縁部２２各々の内側面及び外側面に対向する一対の段差部３３が形成されている。
【００４４】
即ち、図１，２に示されるように、保護チューブ２の一対の縁部２２は、支線部９２が内側から外側へ延び出た部分において、バンド式保護具３における一対の段差部３３の間に嵌り込んでいる。
【００４５】
図１〜３に示される例では、一対の段差部３３は、バンド式保護具３の表面に形成された一連の溝である。また、図１に示される例では、一対の段差部３３はバンド部３１の表面及び枠部３２１の表面に形成されている。一対の段差部３３は、バンド部３１の一方の面に形成されており、複数の凹部３１３はバンド部３１の他方の面に形成されている。
【００４６】
また、枠部３２１における一対の段差部３３は、相反する２つの面各々に形成される。即ち、枠部３２１の一方の面における一対の段差部３３は、バンド部３１の第一端３１１付近に形成された一対の段差部３３の延長線上に形成されている。また、枠部３２１の他方の面における一対の段差部３３は、バンド部３１におけるバンド通し孔３２０に通された部分の付近に形成された一対の段差部３３の延長線上に形成されている。
【００４７】
＜効果＞
ワイヤハーネス１において、支線部９２に巻き付けられたバンド部３１を有するバンド式保護具３が、保護チューブ２における一対の縁部２２が支線部９２と擦れることに起因する支線部９２の損傷を防ぐ。
【００４８】
また、バンド式保護具３の表面に形成された一対の段差部３３は、保護チューブ２における一対の縁部２２がバンド式保護具３から外れることを防ぐ。そのため、バンド部３１に対する保護チューブ２の位置ずれを見込んでバンド部３１の幅を広くする必要がない。従って、比較的幅の狭いバンド部３１が支線部９２に巻き付けられるだけであるため、電線束９０の曲げやすさは阻害されない。
【００４９】
また、バンド式保護具３のバンド保持部３２は、バンド部３１を支線部９２の太さに応じた長さで支線部９２に巻き付いた環状に保持する。そのため、支線部９２の太さに応じて大きさの異なるバンド式保護具３を用意する必要がない。即ち、バンド式保護具３は、電線束９０の太さの違いへの適応性に優れている。
【００５０】
また、バンド式保護具３のバンド部３１は、バンド保持部３２の枠部３２１におけるバンド部３１の第一端３１１に繋がる側からその反対側へバンド通し孔３２０に通されている。この場合、図２に示されるように、バンド式保護具３は、支線部９２の直径に近い厚みの状態で保護チューブ２の切れ目２１に挟み込まれる。そのため、保護チューブ２の切れ目２１における支線部９２が延び出た部分において、過大な隙間が生じることを回避できる。
【００５１】
また、図３に示される例では、保護チューブ２の位置ずれを防ぐ一対の段差部３３は、バンド式保護具３におけるバンド部３１及び枠部３２１の各々の表面に形成されている。この場合、一対の段差部３３が形成された範囲が広くなり、保護チューブ２の位置ずれをより確実に防ぐことができる。
【００５２】
また、一対の段差部３３が、バンド式保護具３の表面に形成された一連の溝であれば、バンド式保護具３の構造がシンプルとなる点で好適である。
【００５３】
＜応用例＞
次に、図６を参照しつつ、ワイヤハーネス１に適用可能な応用例に係るバンド式保護具３Ａについて説明する。図６はバンド式保護具３Ａの斜視図である。なお、図６において電線束９０の支線部９２が仮想線（二点鎖線）で描かれている。図６において、図１〜５に示される構成要素と同じ構成要素には同じ参照符号が記されている。
【００５４】
バンド式保護具３Ａは、バンド式保護具３と比較して一対の段差部の構造のみが異なる。以下、バンド式保護具３Ａにおけるバンド式保護具３と異なる点についてのみ説明する。
【００５５】
図６に示されるように、バンド式保護具３Ａにおいて、枠部３２１の表面には一対の第一段差部３３が形成されており、バンド部３１の表面には一対の第二段差部３３Ａが形成されている。
【００５６】
一対の第一段差部３３は、枠部３２１の表面に形成された一連の溝である。一方、一対の第二段差部３３Ａは、バンド部３１の表面に２列に並んで形成された複数の突起部である。一対の第二段差部３３Ａを構成する複数の突起部は、バンド部３１の幅方向において対向する一対の突起部がバンド部３１の長手方向において間隔を空けて並ぶ状態で形成されている。
【００５７】
バンド式保護具３Ａがワイヤハーネス１に適用された場合、保護チューブ２の一対の縁部２２は、支線部９２が内側から外側へ延び出た部分において、バンド式保護具３Ａにおける一対の段差部３３，３３Ａの間に嵌り込む。
【００５８】
また、枠部３２１におけるバンド通し孔３２０側の面には、一対の第二段差部３３Ａを構成する突起部が通過可能な溝３２０Ａが形成されている。これにより、突起部が形成されたバンド部３１をバンド通し孔３２０に通すことができる。
【００５９】
バンド式保護具３Ａがワイヤハーネス１に適用された場合も、バンド式保護具３がワイヤハーネス１に適用される場合と同様の効果が得られる。
【００６０】
また、バンド式保護具３Ａが採用される場合、バンド部３１の柔軟性を損なわずに一対の第二段差部３３Ａの高さ、即ち、複数の突起部の高さを高くすることができる。一対の第二段差部３３Ａの高さを高くすることにより、保護チューブ２の位置ずれをより確実に防ぐことができる。
【００６１】
＜その他＞
ワイヤハーネス１において、保護チューブ２がコルゲートチューブ以外の可撓性を有するチューブであってもよい。
【００６２】
また、バンド式保護具３，３Ａにおいて、一対の段差部がバンド部３１の表面にのみ形成されていることも考えられる。
【００６３】
なお、本発明に係るワイヤハーネスは、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００６４】
１  ワイヤハーネス
２  保護チューブ
３，３Ａ  バンド式保護具
９  電線
２１  切れ目
２２  保護チューブの縁部
３１  バンド部
３２  バンド保持部
３３  一対の段差部（第一段差部、溝）
３３Ａ  一対の第二段差部（複数の突起部）
９０  電線束
９１  本線部
９２  支線部
３１１  バンド部の第一端
３１２  バンド部の第二端
３１３  バンド部の凹部
３２０  バンド通し孔
３２１  枠部
３２２  係合部
３２０Ａ  枠部の溝
【図１】
2014193058.tif 000003
【図２】
2014193058.tif 000004
【図３】
2014193058.tif 000005
【図４】
2014193058.tif 000006
【図５】
2014193058.tif 000007
【図６】
2014193058.tif 000008